(57)【要約】【課題】制約条件を満足しつつ、全ての原稿画像を印刷可能となる印刷条件に変更できる画像形成装置等を提供する。【解決手段】各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かが判断される。制約条件を満たさないと判断された場合、制約条件を満たすように、カラー度合い判定手段１０４によるカラー度合いの判定結果に基づいて、カラー度合いの低いカラー原稿については色数を減らしたカラーモードまたはモノクロモードに切り替えて、各原稿について印刷条件が決定され、決定された印刷条件に従って各原稿の印刷が実行される。【選択図】  図１０
2013186351.tif 000002
【特許請求の範囲】
【請求項１】
複数枚の原稿の画像を読み取る読取手段と、
前記読取手段により読み取られた各原稿画像のカラー情報から各原稿のカラー度合いを判定するカラー度合い判定手段と、
前記各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かを判断する制約条件判断手段と、
前記制約条件判断手段により制約条件を満たさないと判断された場合、前記制約条件を満たすように、前記カラー度合い判定手段による判定結果に基づいて、カラー度合いの低いカラー原稿については色数を減らしたカラーモードまたはモノクロモードに切り替えて、各原稿について印刷条件を決定する印刷条件決定手段と、
前記印刷条件決定手段により決定された印刷条件に従って、各原稿の印刷を実行する印刷手段と、
を備えたことを特徴とする画像形成装置。
【請求項２】
前記カラー度合い判定手段は、原稿画像のカラー度合いを色空間に広がる面積、または該面積と有彩色画素数とから判定する請求項１に記載の画像形成装置。
【請求項３】
前記印刷条件決定手段は、カラー度合いの低いカラー原稿についての色数を減らしたカラーモードまたはモノクロモードへの切り替えだけでは、前記制約条件を満足しない場合には、印刷条件として集約印刷、両面印刷を採用する請求項１または２に記載の画像形成装置。
【請求項４】
前記印刷条件決定手段により決定された前記制約条件を満たす印刷条件が複数存在する場合に、前記印刷手段は、原稿に最も近い出力が得られる印刷条件で印刷を行う請求項１〜３のいずれかに記載の画像形成装置。
【請求項５】
表示手段と、
前記印刷条件決定手段により決定された前記制約条件を満たす印刷条件が複数存在する場合に、前記表示手段に前記複数の印刷条件を表示してユーザに選択させる選択手段と、
をさらに備え、
前記印刷手段は、前記選択手段により選択された印刷条件で印刷を行う請求項１〜３のいずれかに記載の画像形成装置。
【請求項６】
前記複数の印刷条件の表示手段への表示順は、原稿に近い出力が得られる順である請求項５に記載の画像形成装置。
【請求項７】
前記制約条件は投入された課金額であり、前記印刷条件決定手段は前記課金額に納まるように印刷条件を決定する請求項１〜６のいずれかに記載の画像形成装置。
【請求項８】
前記制約条件は印刷１枚当たりの電力消費量であり、前記印刷条件決定手段は、読み取られた原稿の枚数から該原稿画像の印刷に使用できる電力消費量を算出し、算出した電力消費量を超えないように印刷条件を決定する請求項１〜７のいずれかに記載の画像形成装置。
【請求項９】
前記制約条件は１日当たりの電力消費量であり、前記印刷条件決定手段は、印刷時の累積電力消費量と予め設定された予定電力消費量とに基づいて印刷条件を決定する請求項１〜８のいずれかに記載の画像形成装置。
【請求項１０】
前記制約条件は１日当たりのトナー消費量であり、前記印刷条件決定手段は、印刷時の累積トナー消費量と予め設定された予定トナー消費量とに基づいて印刷条件を決定する請求項１〜９のいずれかに記載の画像形成装置。
【請求項１１】
複数枚の原稿の画像を読取手段により読み取る読取ステップと、
前記読取ステップにおいて読み取られた各原稿画像のカラー情報から各原稿のカラー度合いを判定するカラー度合い判定ステップと、
前記各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かを判断する制約条件判断ステップと、
前記制約条件判断ステップにおいて制約条件を満たさないと判断された場合、前記制約条件を満たすように、前記カラー度合い判定ステツプにおける判定結果に基づいて、カラー度合いの低いカラー原稿については２色カラーモードまたはモノクロモードに切り替えて、各原稿について印刷条件を決定する印刷条件決定ステップと、
前記印刷条件決定ステップにおいて決定された印刷条件に従って、各原稿の印刷を実行する印刷ステップと、
を備えたことを特徴とする画像形成装置における画像形成方法。
【請求項１２】
読取手段により読み取られた複数枚の原稿画像のカラー情報から、各原稿のカラー度合いを判定するカラー度合い判定ステップと、
前記各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かを判断する制約条件判断ステップと、
前記制約条件判断ステップにおいて制約条件を満たさないと判断された場合、前記制約条件を満たすように、前記カラー度合い判定ステツプにおける判定結果に基づいて、カラー度合いの低いカラー原稿については２色カラーモードまたはモノクロモードに切り替えて、各原稿について印刷条件を決定する印刷条件決定ステップと、
前記印刷条件決定ステップにおいて決定された印刷条件に従って、各原稿の印刷を実行する印刷ステップと、
を画像形成装置のコンピュータに実行させるための画像形成プログラム。
【発明の詳細な説明】
【技術分野】
【０００１】
この発明は、印刷時の消費電力や課金等の制約条件が設定された状態で印刷が可能な多機能デジタル複合機（ＭＦＰ：Multi  Function Peripherals)等の画像形成装置、同装置における画像形成方法及び画像形成プログラムに関する。
【背景技術】
【０００２】
従来、ＭＦＰ等の画像形成装置では、カラー原稿とモノクロ原稿を自動的に判別するオートカラーモードにより、原稿のカラー情報に基づいてカラー印刷とモノクロ印刷とを切り替えるようにした技術が知られている。
【０００３】
また、従来、原稿の色判定結果に加えて、文字原稿か否かを判定し、文字原稿は低解像度印刷とし、写真原稿は高解像度印刷することにより、印刷時の課金額を抑制するようにした技術が提案されている（例えば、特許文献１参照）。
【先行技術文献】
【特許文献】
【０００４】
【特許文献１】特開２０１０−２４６２号公報
【発明の概要】
【発明が解決しようとする課題】
【０００５】
ところが、従来のＭＦＰ等では、カラー原稿とモノクロ原稿を一律的に分離するだけであるから、印刷時に課金上限値等の制約条件が設定されているものでは、その制約条件を満たさない限り、全原稿を印刷することができないという問題がある。特に、複数枚数の原稿を印刷しようとした場合、印刷条件の組み合わせが複雑になるため、最適な組み合わせを手動で設定することは困難で、ユーザは止むなくモノクロ出力等の希望しない条件で出力せざるを得ないことになる。
【０００６】
また、前記特許文献に記載の技術においては、投入された金額に合わせて出力モードを制御できず、印刷時の金額不足に対応できないという不便がある。
【０００７】
この発明は、上記実情に鑑みてなされたものであり、制約条件を満足しつつ、全ての原稿画像を印刷可能となる印刷条件に変更できる画像形成装置及び同装置における画像形成方法を提供し、さらには前記画像形成装置のコンピュータに画像形成処理を実行させるための画像形成プログラムを提供することを課題としている。
【課題を解決するための手段】
【０００８】
上記課題は、以下の手段によって解決される。
（１）複数枚の原稿の画像を読み取る読取手段と、前記読取手段により読み取られた各原稿画像のカラー情報から各原稿のカラー度合いを判定するカラー度合い判定手段と、前記各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かを判断する制約条件判断手段と、前記制約条件判断手段により制約条件を満たさないと判断された場合、前記制約条件を満たすように、前記カラー度合い判定手段による判定結果に基づいて、カラー度合いの低いカラー原稿については色数を減らしたカラーモードまたはモノクロモードに切り替えて、各原稿について印刷条件を決定する印刷条件決定手段と、前記印刷条件決定手段により決定された印刷条件に従って、各原稿の印刷を実行する印刷手段と、を備えたことを特徴とする画像形成装置。
（２）前記カラー度合い判定手段は、原稿画像のカラー度合いを色空間に広がる面積、または該面積と有彩色画素数とから判定する前項１に記載の画像形成装置。
（３）前記印刷条件決定手段は、カラー度合いの低いカラー原稿についての色数を減らしたカラーモードまたはモノクロモードへの切り替えだけでは、前記制約条件を満足しない場合には、印刷条件として集約印刷、両面印刷を採用する前項１または２に記載の画像形成装置。
（４）前記印刷条件決定手段により決定された前記制約条件を満たす印刷条件が複数存在する場合に、前記印刷手段は、原稿に最も近い出力が得られる印刷条件で印刷を行う前項１〜３のいずれかに記載の画像形成装置。
（５）表示手段と、前記印刷条件決定手段により決定された前記制約条件を満たす印刷条件が複数存在する場合に、前記表示手段に前記複数の印刷条件を表示してユーザに選択させる選択手段と、をさらに備え、前記印刷手段は、前記選択手段により選択された印刷条件で印刷を行う前項１〜３のいずれかに記載の画像形成装置。
（６）前記複数の印刷条件の表示手段への表示順は、原稿に近い出力が得られる順である前項５に記載の画像形成装置。
（７）前記制約条件は課金額であり、前記印刷条件決定手段は前記課金額に納まるように印刷条件を決定する前項１〜６のいずれかに記載の画像形成装置。
（８）前記制約条件は印刷１枚当たりの電力消費量であり、前記印刷条件決定手段は、読み取られた原稿の枚数から該原稿画像の印刷に使用できる電力消費量を算出し、算出した電力消費量を超えないように印刷条件を決定する前項１〜７のいずれかに記載の画像形成装置。
（９）前記制約条件は１日当たりの電力消費量であり、前記印刷条件決定手段は、印刷時の累積電力消費量と予め設定された予定電力消費量とに基づいて印刷条件を決定する前項１〜８のいずれかに記載の画像形成装置。
（１０）前記制約条件は１日当たりのトナー消費量であり、前記印刷条件決定手段は、印刷時の累積トナー消費量と予め設定された予定トナー消費量とに基づいて印刷条件を決定する前項１〜９のいずれかに記載の画像形成装置。
（１１）複数枚の原稿の画像を読取手段により読み取る読取ステップと、前記読取ステップにおいて読み取られた各原稿画像のカラー情報から各原稿のカラー度合いを判定するカラー度合い判定ステップと、前記各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かを判断する制約条件判断ステップと、前記制約条件判断ステップにおいて制約条件を満たさないと判断された場合、前記制約条件を満たすように、前記カラー度合い判定ステツプにおける判定結果に基づいて、カラー度合いの低いカラー原稿については２色カラーモードまたはモノクロモードに切り替えて、各原稿について印刷条件を決定する印刷条件決定ステップと、前記印刷条件決定ステップにおいて決定された印刷条件に従って、各原稿の印刷を実行する印刷ステップと、を備えたことを特徴とする画像形成装置における画像形成方法。
（１２）読取手段により読み取られた複数枚の原稿画像のカラー情報から、各原稿のカラー度合いを判定するカラー度合い判定ステップと、前記各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かを判断する制約条件判断ステップと、前記制約条件判断ステップにおいて制約条件を満たさないと判断された場合、前記制約条件を満たすように、前記カラー度合い判定ステツプにおける判定結果に基づいて、カラー度合いの低いカラー原稿については２色カラーモードまたはモノクロモードに切り替えて、各原稿について印刷条件を決定する印刷条件決定ステップと、前記印刷条件決定ステップにおいて決定された印刷条件に従って、各原稿の印刷を実行する印刷ステップと、を画像形成装置のコンピュータに実行させるための画像形成プログラム。
【発明の効果】
【０００９】
前項（１）に記載の発明によれば、読み取り手段により読み取られた複数枚の原稿の各原稿画像のカラー情報に基づいてカラー原稿と判断された原稿に対してフルカラーモードでの印刷を行い、モノクロ原稿と判断された原稿に対してモノクロモードでの印刷を行う場合に、１種ないしは互いに選択的に組み合わせ可能な複数種の制約条件を満たすか否かが判断される。そして、制約条件を満たさないと判断された場合、前記制約条件を満たすように、カラー度合い判定手段によるカラー度合いの判定結果に基づいて、カラー度合いの低いカラー原稿については色数を減らしたカラーモードまたはモノクロモードに切り替えて、各原稿について印刷条件が決定されるとともに、決定された印刷条件に従って、各原稿の印刷が実行される。
【００１０】
つまり、印刷に対して制約条件、例えば課金や消費電力等が設定されて複数の原稿画像の全てを原稿のカラー通りに印刷することが困難な場合でも、制約条件を満たすように、カラー度合いの低いカラー原稿については色数を減らしたカラーモードまたはモノクロモードに切り替えて印刷されるから、前記制約条件を満足する範囲内で全ての原稿画像についての印刷が可能となる。
【００１１】
前項（２）に記載の発明によれば、原稿画像の色空間に広がる面積が広いほど、カラー度合いが高いと判定され、また面積が同じであれば有彩色画素数が多いほど、カラー情報を含むものと判断してカラー度合いが高いと判定できる。
【００１２】
前項（３）に記載の発明によれば、カラー度合いの低いカラー原稿についての色数を減らしたカラーモードまたはモノクロモードへの切り替えだけでは、制約条件を満足しない場合には、印刷条件として集約印刷、両面印刷が採用されるから、より確実に、制約条件を満足する範囲内で全ての原稿画像を印刷することができる。
【００１３】
前項（４）に記載の発明によれば、制約条件を満たす印刷条件が複数存在する場合には、原稿に最も近い出力が得られる条件で自動的に印刷が行われる。
【００１４】
前項（５）に記載の発明によれば、制約条件を満たす印刷条件が複数存在する場合には、表示手段に表示された複数の印刷条件の中からユーザによって選択された印刷条件で印刷が行われる。
【００１５】
前項（６）に記載の発明によれば、複数の印刷条件の表示手段への表示順は、原稿に近い出力が得られる順となされているから、ユーザによる選択が容易となる。
【００１６】
前項（７）に記載の発明によれば、制約条件は課金額である場合、この課金額に納まるように印刷条件が決定される。
【００１７】
前項（８）に記載の発明によれば、制約条件は１枚当たりの電力消費量である場合、読み取られた原稿の枚数から該原稿画像の印刷に使用できる電力消費量が算出され、算出した電力消費量を超えないように印刷条件が決定される。
【００１８】
前項（９）に記載の発明によれば、制約条件は１日当たりの電力消費量である場合、印刷時の累積電力消費量と予め設定された予定電力消費量とに基づいて、例えば、累積電力消費量が予定電力消費量よりも下回っている場合は、原稿どおりにカラーモードまたはモノクロモードで印刷を行い、累積電力消費量が予定電力消費量値相当である場合は、カラー度合いの低い原稿についてはカラーモードからモノクロモードに切り替えて印刷を行うなどの対応が可能となる。
【００１９】
前項（１０）に記載の発明によれば、制約条件は１日当たりのトナー消費量である場合、印刷時の累積トナー消費量と予め設定された予定トナー消費量とに基づいて、例えば、累積トナー消費量が予定トナー消費量よりも下回っている場合は、原稿どおりにカラーモードまたはモノクロモードで印刷を行い、累積トナー消費量が予定トナー消費量相当である場合は、カラー度合いの低いカラー原稿についてはカラーモードからモノクロモードに切り替えて印刷を行うなどの対応が可能となる。
【００２０】
前項（１１）に記載の発明によれば、印刷に対して制約条件、例えば課金や消費電力等が設定されて複数の原稿画像の全てを原稿のカラー通りに印刷することが困難な場合でも、制約条件を満たすように、カラー度合いの低いカラー原稿については色数を減らしたカラーモードまたはモノクロモードに切り替えて印刷されるから、前記制約条件を満足する範囲内で全ての原稿画像についての印刷が可能となる。
【００２１】
前項（１２）に記載の発明によれば、印刷に対して制約条件、例えば課金や消費電力等が設定されて複数の原稿画像の全てを原稿のカラー通りに印刷することが困難な場合でも、制約条件を満たすように、カラー度合いの低いカラー原稿については色数を減らしたカラーモードまたはモノクロモードに切り替えて印刷する処理を、画像形成装置のコンピュータに実行させることができる。
【図面の簡単な説明】
【００２２】
【図１】この発明の一実施形態に係る画像形成装置であるＭＦＰを示す概略構成図である。
【図２】同じくＭＦＰの電気的構成を示すブロック図である。
【図３】一定の課金額の範囲内で用紙に原稿画像を印刷する場合の、原稿例と課金額との関係を説明するための図である。
【図４】カラー度合いの判定結果の一例を示す図である。
【図５】（Ａ）は印刷条件をユーザに選択させるための選択画面を示す図、（Ｂ）はオートカラー１を選択したときの出力状態を示す図、（Ｃ）はオートカラー２を選択したときの出力状態を示す図である。
【図６】制約条件が印刷１枚当たりの電力消費量である場合の原稿例と電力消費量との関係を示す図である。
【図７】カラー度合いの判定結果の他の例を示す図である。
【図８】制約条件が１日当たりの電力消費量である場合の説明図である。
【図９】制約条件が１日当たりのトナー消費量である場合の説明図である。
【図１０】ＭＦＰの動作を示すフローチャートである。
【発明を実施するための形態】
【００２３】
以下、この発明の実施形態を図面に基づいて説明する。
【００２４】
図１は、この発明の一実施形態に係る画像形成装置としてのＭＦＰを示す概略構成図、図２は同じくＭＦＰの電気的構成を示すブロック図である。
【００２５】
図１及び図２において、このＭＦＰは、本体装置１と、この本体装置１に接続された後処理装置２とを備えている。
【００２６】
前記本体装置１は、原稿の画像を読み取るスキャナ装置１００と、各種データや各種メッセージ、さらには、操作手順等を表示する表示装置１０１と、読み取った画像信号を処理して画像データを生成する画像処理装置１０２と、画像データをジョブ条件に基づいて用紙に印刷する印刷装置１０３と、全体の動作を統括制御するＣＰＵ１０４と、印刷装置１０３に給紙される用紙が収容された給紙カセット１０５を備えている。
【００２７】
前記後処理装置２は、ステープル処理を行うステープル部１０３ｂと、印刷されて排紙された用紙を収容する排紙トレイ１０６等を備えている。
【００２８】
前記スキャナ装置１００は、図２に示すように、図示しない原稿自動給紙装置や読取部１００ａを有しており、読取部１００ａは、原稿台（図示せず）に載置された原稿や原稿自動給紙装置から搬送された原稿の画像を所定位置で読み取って電気信号を出力する。
【００２９】
前記表示装置１０１は、表示パネル１０１ａと検出部１０ｂを有している。表示パネル１０１は、図示しないタッチパネル式のＬＣＤ等からなる表示部と、テンキーやスタートキー等のハードキー部とを備えている。なお、前記検出部１０１ｂは、タッチパネル等によるユーザの入力操作等を検出してＣＰＵ１０４に通知する機能等を有している。
【００３０】
前記画像処理装置１０２は、画像編集部１０２ａと、画像記憶部１０２ｂ等を備えている。画像編集部１０２ａは、スキャナ装置１００からの電気信号を処理してデジタル画像データを生成するものであり、また、画像記憶部１０２ｂは、画像データを一時保存するものである。
【００３１】
前記印刷装置１０３は、印刷部１０３ａとステープル部１０３ｂとを備えている。
【００３２】
前記印刷部１０３ａは、画像データをジョブ条件に基づいて用紙に印刷するものであり、また、ステープル部１０３ｂは、前記後処理装置２において、前記印刷された複数の用紙を整えて綴じるものである。
【００３３】
前記ＣＰＵ１０４は、図示しないＲＯＭに格納された動作プログラムに従ってＭＦＰの全体の動作を統括制御するものである。
【００３４】
また、ＣＰＵ１０４は、前記スキャナ装置１００により読み取られた複数の原稿の各画像のカラー情報から、各原稿画像の色分布を解析して、各原稿のカラー比率であるカラー度合い（単にカラー度ともいう）を判定するカラー度合い判定機能、各原稿画像のカラー情報に基づいてカラー原稿と判断された原稿に対してフルカラーモードでの印刷を行い、モノクロ原稿と判断された原稿に対してモノクロモードでの印刷を行う場合に、例えば課金や消費電力、トナー消費量等の１種ないしは互いに選択的に組み合わせ可能な複数種の印刷時の制約条件を満たすか否かを判断する機能、制約条件を満たさないと判断された場合、制約条件を満たすように、前記カラー度合いの判定結果に基づいて、カラー度合いの低い原稿については色数を減らしたカラーモード（例えば２色カラーモード）またはモノクロモードに切り替えて、各原稿について印刷条件を決定する機能等を有している。
【００３５】
前記ＣＰＵ１０４によるカラー度合い判定機能においては、原稿画像のカラー度合いを、色空間に広がる面積、有彩色画素数から判定するようになっている。また、ＣＰＵ１０４は、カラー度合いの低い原稿についての色数を減らしたカラーモードまたはモノクロモードに切り替えて印刷を行うのみでは、制約条件を満足しない場合に、印刷条件として集約印刷、両面印刷を採用するように構成されている。
【００３６】
図３は、一定の課金額を投入して用紙に原稿画像を印刷する場合の、原稿例と課金額との関係を説明するための図である。
【００３７】
図３においては、例えば、原稿５枚（カラー３枚、モノクロ２枚）、投入金額が７０円の時の処理内容を示している。
【００３８】
課金額が、カラー（フルカラー）印刷で１枚当たり２０円、２色カラー印刷で１枚当たり１５円、モノクロ印刷で１枚当たり１０円に設定されている場合、原稿通りに印刷すると、原稿５枚で８０円（２０円×３枚＋１０円×２枚）となり、金額不足で１枚印刷できないことになる。
【００３９】
そこで、全ての原稿画像をスキャンした上で、各原稿画像毎に、色度図上の分布から色の広がり（面積）を求める。
【００４０】
図４の上段にカラー度合い（カラー度ともいう）の判定結果の例を示してあり、同図の左から右に向かうに連れて（矢印方向）モノクロ化率が高くなっている。換言すれば、最左側の原稿が「カラー度：高」であり、右側にある原稿程、カラー度が低くなっている。なお、右側の２枚のモノクロ原稿のカラー度は同じである。
【００４１】
同図の下段には、上段にカラー度合いの判定結果にそれぞれ対応して、カラー度分散の概念図が表示されている。図４の円形で示す色度図Ｘ内において、線Ｓで囲まれた範囲が色の広がり（面積）を示しており、同図の最左側の「カラー度：高」の場合は、線Ｓで囲まれた範囲が大きく色の広がり（面積）が大きいことが示されており、カラー度分散が同図の最右側及びその左の「カラー度：低」のモノクロ原稿の場合は、線Ｓで囲まれた範囲が小さく色の広がり（面積）が小さいことが示されている。
【００４２】
色度図Ｘ上の分布は、スキャナ装置１００で原稿画像を読み取ったＲＧＢデータをＬａｂ変換し、ａｂデータからなる２次元平面上に入力データをプロットして得る。色の広がり（面積）については、プロットされた色の種類（異なるａｂデータの数）をカウントする。
【００４３】
色の広がり（面積）が大きい程、カラー情報を含む原稿と判断することで、カラー度合いを判定する。
【００４４】
そして、ＭＦＰは、投入金額７０円内に収まるように、カラー度合いの低いカラー原稿については色数を減らしたカラーモード（例えば２色カラーモード）やモノクロモードでの印刷に切り替えたときの、カラー（フルカラー）、２色カラー、モノクロの印刷枚数を計算し、条件に合う組み合わせを表示装置１０１に表示する。
【００４５】
図５（Ａ）は、印刷条件をユーザに選択させるための選択画面を表示装置１０１に表示した図であり、印刷条件（出力モード）毎に、課金における不足の金額が表示されている。
【００４６】
例えば、出力モードが原稿通りであれば、不足金額が１０円であるが、最もカラー度合いの低いカラー原稿をモノクロモードでの印刷に切り替えると、「オートカラー１」で示すように、カラー（フルカラー）が２枚（４０円）、２色カラーが０枚（０円）、モノクロが３枚（３０円）の合計７０円となり、不足金額が０円となる。
【００４７】
また、カラー度合いの低い方の２枚のカラー原稿を２色カラーモードでの印刷に切り替えると、「オートカラー２」で示すように、カラーが１枚（２０円）、２色カラーが２枚（３０円）、モノクロが２枚（２０円）の合計が７０円となり、不足金額が０円となる。
【００４８】
このように、ＭＦＰは、投入された課金額を満たすように、判定されたカラー度合いに基づいて、カラー度合いの低いカラー原稿については色数を減らしたカラーモードまたはモノクロモードに切り替えて、各原稿について印刷条件を決定し、決定された印刷条件を選択候補として、表示パネル１０１ａに表示する。
【００４９】
そして、ユーザが選択された候補の中から、例えば「オートカラー１」を選択すると、ＭＦＰは、図５（Ｂ）に示すように、２枚をカラー（フルカラー）モードで、３枚をモノクロモードで印刷する。一方、図５（Ｃ）に示すように、ユーザが「オートカラー２」を選択すると、ＭＦＰは、１枚をカラー（フルカラー）モードで、２枚を２色カラーモードで、２枚をモノクロモードで印刷する。
【００５０】
なお、この実施形態では、「オートカラー１」と「オートカラー２」では、「オートカラー１」の方が原稿に近い出力が得られることから、ユーザがこの「オートカラー１」を選択しやすいように、図５（Ａ）に示されるように、「オートカラー１」が「オートカラー２」よりも上位に表示されている。つまり、制約条件を満たす出力モードが複数存在する場合、原稿に近い出力が得られる順に表示されている。
【００５１】
なお、ユーザが出力モードを選択するのではなく、ＭＦＰが、制約条件に収まる組み合わせのうちで原稿に最も近い出力が得られる印刷条件（図５の例では「オートカラー１」）を自動的に選択して、印刷を行う構成としても良い。また、ユーザが選択するか自動的に選択するかを、ＭＦＰの管理者等が設定できる構成としても良い。
【００５２】
図６は、制約条件が印刷１枚当たりの電力消費量である場合の原稿例と電力消費量との関係を示す図である。
【００５３】
図６において、例えば原稿が５枚（カラー３枚、モノクロ２枚）あり、印刷１枚当たりの電力消費について、例えばカラーで１００Ｗ、モノクロで３０Ｗを消費すると仮定した場合、前記原稿を５枚を印刷する場合は、通常では、３６０Ｗ（１００Ｗ×３枚＋３０Ｗ×２枚）が必要となる。
【００５４】
しかし、電力消費量が、例えば１枚当たり５０Ｗに制約されている環境では、５枚全てを印刷するためには、２５０Ｗ（５０Ｗ×３枚＋５０Ｗ×２枚）に制約する必要がある。この場合、カラー度合いの低い原稿画像をモノクロモードに切り替えることにより電力消費量を低減できるので、ＭＦＰは、課金額の場合と同様に、各原稿画像をカラー度合いから順位付けを行い、所定の電力消費量に収まるように、カラー度合いの低い原稿から順にモノクロモードに切り替えて、各原稿についての印刷条件を決定し、決定された印刷条件で印刷を行う。これにより全原稿の印刷が可能となる。
【００５５】
ここで、図７に示すカラー度合いの判定結果において、丸い白線Ｓで示す１枚目の色の広がり（面積）と２枚目の広がりとは同値となっている。このように色の広がりが同じの場合は、原稿内の有彩色画素数を判定し、有彩色画素数の多い方をカラー度合いの高い原稿と判定すればよい。
【００５６】
図７の例では、左から１枚目の原稿画像の有彩色画素数が左から２枚目の原稿よりも多く、カラー度合いの順位が高い原稿として判定される。そして、左から１枚目の原稿についてはカラーモードでの印刷に決定されるが、左から２枚目の原稿及び左から３枚目の原稿についてはモノクロモードに切り替えての印刷に決定される。
【００５７】
その結果、カラー１枚（１００Ｗ×１枚）とモノクロ４枚（３０Ｗ×４枚）で、電力消費量の合計（累積電力消費量）が２２０Ｗとなり、制約条件の２５０Ｗ内に収まることになる。そして、決定された印刷条件で印刷が行われる。
【００５８】
図８は、制約条件が１日当たりの電力消費量である場合の説明図である。
【００５９】
図８において、１日当たりの電力消費量が制約されている環境の場合には、電力消費量の累積値を保持するとともに、累積電力消費量の目安となる予定電力消費量（図８では制限値と記している）を予め設定し、印刷時（図８の横軸）における１日当たりの電力消費量の累積値（図８の縦軸）がこの予定電力消費量を超える割合に応じて印刷条件を切り替えるようになっている。
【００６０】
具体的には、
（１）電力消費量の累積値が予定電力消費量より規定量下回っている場合には、設定された印刷条件通りに、つまりカラー原稿についてはカラーモードで、モノクロ原稿についてはモノクロモードで、通常通りの印刷を行う（図８のＣａｓｅ１）。
（２）電力消費量の累積値が予定電力消費量相当である場合には、予定電力消費量内に収まるように、カラー度合いの低い原稿についてはカラーモードからモノクロモードに切り替える（Ｃａｓｅ２）。
（３）電力消費量の累積値が予定電力消費量を上回った場合には、カラーモードからモノクロモードへの切り替えに加えて、集約印刷や両面印刷、あるいはトナーセーブ印刷を含めた低消費電力モードに移行する（Ｃａｓｅ３）。
【００６１】
図９は、制約条件が１日当たりのトナー消費量である場合の説明図である。
【００６２】
１日当たりのトナー消費量が制約されている環境の場合には、トナー消費量の累積値を保持するとともに、累積トナー消費量の目安となる予定トナー消費量を予め設定し、印刷時における１日当たりのトナー消費量の累積値がこの予定トナー消費量を超える割合に応じて印刷条件を切り替えるようになっている。
【００６３】
具体的には、
（１）トナー消費量の累積値が予定トナー消費量より規定量下回っている場合には、設定された印刷条件通りに、つまりカラー原稿についてはカラーモードで、モノクロ原稿についてはモノクロモードで、通常通りの印刷を行う。
（２）トナー消費量の累積値が予定トナー消費量相当である場合には、予定トナー消費量内に収まるように、カラー度合いの低い原稿についてはカラーモードからモノクロモードに切り替える。
（３）トナー消費量の累積値が予定トナー消費量を上回った場合には、カラーモードからモノクロモードへの切り替えに加えて、集約印刷や両面印刷、あるいはトナーセーブ印刷を含めた低トナー消費モードに移行する。
【００６４】
図１０は、ＭＦＰが行う印刷時の動作を示すフローチャートである。この動作は、ＣＰＵ１０４が図示しないＲＯＭ等に格納された動作プログラムに従って動作することにより実行される。
【００６５】
ステップＳ０１で、スキャナ装置１００により原稿を読み取ったのち、ステップＳ０２で、制約条件が設定されているかどうかを判断する。設定されていなければ（ステップＳ０２でＮＯ）、ステップＳ１０に進み、通常の印刷を行う。
【００６６】
制約条件が設定されていれば（ステップＳ０２でＹＥＳ）、ステップＳ０３で、通常の印刷を行った場合、つまりカラー原稿はフルカラーモードで、モノクロ原稿はモノクロモードで印刷を行った場合に、制約条件を満たすか否かを判断する。満たしていれば（ステップＳ０３でＹＥＳ）、ステツプＳ１０に進み、通常の印刷を行う。満たしていなければ（ステップＳ０３でＮＯ）、ステップＳ０４では原稿のカラー度合いを算出する。
【００６７】
次いで、ステップＳ０５で、制約条件を満たすように、カラー度合いの低いカラー原稿の順に、２色カラーモードまたはモノクロモードに切り替えて印刷条件を決定する。
【００６８】
次に、ステップＳ０６で、印刷条件をユーザが選択する設定になっているかどうかを調べ、なっていなければ（ステップＳ０６でＮＯ）、ステップＳ０７で、原稿に最も近い出力が得られる印刷条件を自動的に選択したのち、ステップＳ１０で印刷を行う。印刷条件が１つしかなければその印刷条件で印刷を行う。
【００６９】
一方、印刷条件をユーザが選択する設定になっている場合は（ステップＳ０６でＹＥＳ）、ステップＳ０８で、印刷条件を表示装置１０１に表示し、ユーザの選択を待つ。印刷条件が複数存在するときは、原稿に近い出力が得られる順に表示される。
【００７０】
ユーザによって印刷条件が選択されると（ステップＳ０９でＹＥＳ）、ステップＳ１０で、選択された印刷条件で印刷を行う。
【００７１】
以上、本発明の一実施形態を説明したが、本発明は上記実施形態に限定されることはない。例えば、制約条件は印刷１枚当たりあるいは１ジョブ当たりのトナー消費量であっても良い。この場合は、読み取られた原稿の枚数から該原稿画像の印刷に使用できるトナー消費量を算出し、算出したトナー消費量を超えないように印刷条件を決定すればよい。
【００７２】
また、前記制約条件については、例えば課金等の１種のものを対象にした場合に限らず、例えば課金、電力消費量、トナー消費量等の２種以上のものを組み合わせて設定することも可能である。
【符号の説明】
【００７３】
１００    読取装置
１０１    表示装置
１０２    画像処理装置
１０３    印刷装置
１０４    ＣＰＵ
【図１】
2013186351.tif 000003
【図２】
2013186351.tif 000004
【図３】
2013186351.tif 000005
【図４】
2013186351.tif 000006
【図５】
2013186351.tif 000007
【図６】
2013186351.tif 000008
【図７】
2013186351.tif 000009
【図８】
2013186351.tif 000010
【図９】
2013186351.tif 000011
【図１０】
2013186351.tif 000012